(57)【特許請求の範囲】
【請求項１】
貫通孔を有するとともにその貫通孔の周囲において外方へ突出した筒状のリブを設けたパネルと、前記パネル背面側に配され操作軸を有する被操作部材と、前記操作軸と連結する連結部を裏面に設けるとともに前記リブを含むパネル面を覆う形状をした操作ツマミとからなる調理器において、前記リブの下方部を一部切り欠いたことを特徴とする調理器。
【請求項２】
前記リブは前記操作ツマミの裏側に設けられた係止部と係合して前記操作ツマミの回動角度を規制する回動規制部を有することを特徴とする請求項２に記載の調理器。
【請求項３】
貫通孔を有するパネルと、前記パネル背面側に配され操作軸を有する被操作部材と、前記操作軸と連結する連結部を背面に設けるとともに前記前記パネル面を覆う形状をした操作ツマミとからなる調理器において、前記操作ツマミと前記パネルとの間に配され前記操作ツマミと一体的に回動するクリック板と、前記操作ツマミに覆われるように前記操作ツマミの内壁と前記クリック板との間に配されたバネとを有し、前記バネの押圧力によって前記クリック板が前記パネルに圧接されるとともに、前記パネル前面と前記クリック板背面とのいづれか一方に形成された複数の凹部と他方に形成された凸部とが前記操作ツマミの回動に伴って所定の間隔で嵌合することを特徴とする調理器。
【請求項４】
前記クリック板は回動方向の複数の向きで前記操作ツマミと一体化可能であるとともに、前記クリック板の装着の向きに対応する各区域毎に前記凹部が異なる数量で形成されていることを特徴とする請求項３に記載の調理器。
【請求項５】
前記貫通孔は前記連結部が挿入可能な大きさを有し、前記連結部から突設した係合片が前記貫通孔の外周端部と遊合して前記操作ツマミが回動するとともに前記操作ツマミを引くと前記貫通孔の外周端部に係止するようにしたことを特徴とする請求項１乃至請求項４のいづれかに記載の調理器。
【請求項６】
前記パネルの前面側からの押圧力で前記貫通孔の半径方向外側に変位し前記パネルの背面側からの押圧力では変位しない係止爪が前記貫通孔の外周端部に設けられ、前記連結部を前記貫通孔に挿入するとき前記係止爪が前記係合片に遊合し前記操作ツマミを回動させると前記係止爪が前記貫通孔の外周端部に遊合するようにしたことを特徴とする請求項１乃至請求項４のいづれかに記載の調理器。
【請求項７】
前記貫通孔から前記パネル背面側に侵入した水を排水部に案内する排水用案内部材を前記パネル背面と一体的に形成することを特徴とする請求項１乃至請求項６のいづれかに記載の調理器。
【発明の詳細な説明】
【０００１】
【発明の属する技術分野】
本発明は、調理器に関し、特に調理時間や加熱出力などを回動により設定可能な操作ツマミを有する電子レンジなどの調理器に関する。
【０００２】
【従来の技術】
従来の電子レンジを図１を参照して説明する。同図によると電子レンジ１には加熱室３を開閉する扉２が設置され、加熱室３右側には設定などを行う操作パネル５が設置されている。また操作パネル５には調理時間を設定するタイマツマミ９、加熱出力を設定する加熱出力切換つまみ１３、扉１の開閉を行う開閉ボタン４などが配置されている。
【０００３】
タイマーツマミ９部分の構成は特開平７−１１９９８５号公報などに開示され図２に示す断面図のようになっている。タイマツマミ９のボス部９ａに設けられたボス孔９ｂには制御板６に固定されたロータリーエンコーダなどからなる時間設定装置７の回転軸７ａが操作パネル５の貫通孔５ａを通して圧入され、時間設定装置７は防水板１８を介して操作パネル５裏面に形成されたボス１９にビス２０で固定されている。
【０００４】
操作パネル５前面には貫通孔５ａを囲むように突出した防水用リブ８が設けられ、濡れ雑巾などを使って操作パネル５の清掃する際にタイマツマミ９と操作パネル５との隙間ａ１から侵入した水を防水用リブ８で堰き止めて防水用リブ８を伝って落下させタイマツマミ９と操作パネル５との隙間ａ２から排出するようになっている。また、操作パネル５内側に侵入した水滴は制御基板６などの電子機器と接触しないように防水板１８を伝って傾斜部１８ａにより操作パネル５裏側の方へ排出されるようになっている。
【０００５】
【発明が解決しようとする課題】
しかしながら、防水用リブ８の内側に侵入した水は防水用リブ８の内面を伝って流下し防水用リブ８の下部分に溜まってカビなどの発生要因となっていた。また、制御基板６を直接ボス１９などに固定すれば時間設定装置７を固定することが可能であり、操作パネル５内に侵入した水から制御基板などの電子機器を保護するためだけに防水板１８を設けることはコストの増大となる。また、タイマツマミ９のボス孔９ｂと時間設定装置７の回転軸７ａとは圧入されているが、タイマツマミ９を強い力で引くと引き抜くことが可能でこの際に貫通孔５ａより入った異物が制御板６等に接触して故障の原因となる危険があった。
【０００６】
また出力の設定を段階的に切り換えて行うようなクリック機構が必要な場合において、図２における時間設定装置７の代わりにクリック機構を有するような調理条件設定装置を使用していたが高価でありコスト増大の要因となっていた。
【０００７】
本発明は、防カビや防水効果を簡単な構造で向上させるとともに部品点数を削減してコスト削減を図ることのできる調理器を提供することを目的とする。
【０００８】
また、本発明は、タイマツマミなどの操作ツマミを簡単に引き抜くことができないような構成とすることで故障の危険を回避できるような調理器を提供することを目的とする。
【０００９】
【課題を解決するための手段】
上記目的を達成するために本発明は、貫通孔を有するとともにその貫通孔の周囲において外方へ突出した筒状のリブを設けたパネルと、前記パネル背面側に配され操作軸を有する被操作部材と、前記操作軸と連結する連結部を裏面に設けるとともに前記リブを含むパネル面を覆う形状をした操作ツマミとからなる調理器において、前記リブの下方部を一部切り欠いている。
【００１０】
この構成によると、操作ツマミとパネルとの隙間に侵入した水滴は、リブの外壁を伝って下部に流下し排水されるだけでなく、防水用リブの内側に侵入した水滴がリブの内壁を伝って下部に流下し切り欠き部より排水される。
【００１１】
また本発明は、前記リブは前記操作ツマミの裏側に設けられた係止部と係合して前記操作ツマミの回動角度を規制する回動規制部を有している。この構成によると、操作ツマミの裏側に設けられた係止部は回動によって回動規制部に当接し操作ツマミの回動範囲が規制されるようになる。
【００１２】
また本発明は、貫通孔を有するパネルと、前記パネル背面側に配され操作軸を有する被操作部材と、前記操作軸と連結する連結部を背面に設けるとともに前記前記パネル面を覆う形状をした操作ツマミとからなる調理器において、前記操作ツマミと前記パネルとの間に配され前記操作ツマミと一体的に回動するクリック板と、前記操作ツマミに覆われるように前記操作ツマミの内壁と前記クリック板との間に配されたバネとを有し、前記バネの押圧力によって前記クリック板が前記パネルに圧接されるとともに、前記パネル前面と前記クリック板背面とのいづれか一方に形成された複数の凹部と他方に形成された凸部とが前記操作ツマミの回動に伴って所定の間隔で嵌合するようになっている。
【００１３】
この構成によると、操作ツマミ裏側からバネによってパネルに圧接されたクリック板は、操作ツマミとともに回動しクリック板とパネルとに設けられた凹部と凸部とが所定間隔で嵌合して出力を段階的に変化させるようなクリック機構を有するようになる。この際クリック板の背面はパネル前面に圧接されて密着しているため水滴がパネル背面側に容易に侵入しないようになっている。
【００１４】
また本発明は、前記クリック板は回動方向の複数の向きで前記操作ツマミと一体化可能であるとともに、前記クリック板の装着の向きに対応する各区域毎に前記凹部が異なる数量で形成されている。この構成によると、クリック板は操作ツマミに向きを変えて装着されることによって同じ回動範囲において段階数の異なる複数のクリック機構を提供するようになる。
【００１５】
また本発明は、前記貫通孔は前記連結部が挿入可能な大きさを有し、前記連結部から突設した係合片が前記貫通孔の外周端部と遊合して前記操作ツマミが回動するとともに前記操作ツマミを引くと前記貫通孔の外周端部に係止するようになっている。
【００１６】
この構成によると、操作ツマミの連結部はパネルの貫通孔に挿入され連結部に設けられた係合片がパネルの貫通孔外周端部と遊合して操作ツマミと調理条件設定装置とが連結され、操作ツマミが回動可能に固定される。この際、操作ツマミを強い力で引いても係合片が貫通孔外周端部に係止し、引き抜くことができないようになっている。
【００１７】
また本発明は、前記パネルの前面側からの押圧力で前記貫通孔の半径方向外側に変位し前記パネルの背面側からの押圧力では変位しない係止爪が前記貫通孔の外周端部に設けられ、前記連結部を前記貫通孔に挿入するとき前記係止爪が前記係合片に遊合し前記操作ツマミを回動させると前記係止爪が前記貫通孔の外周端部に遊合するようになっている。
【００１８】
この構成によると、操作ツマミの連結部から突設した係合片がパネルに設けられた係止爪に遊合するように操作ツマミと調理条件設定装置とが連結され操作ツマミが回動可能に固定される。この際係止爪は弾性を有し前面側から係合片に押圧されて半径方向外側に退避しさらに操作ツマミが進行することで係合片と遊合するように復帰する。この位置では操作ツマミを強い力で引いても係合片が係止爪に係止し引き抜くことができないようになっているとともに、係止爪以外の部分では係合片が貫通孔外周端部に係止し引き抜くことができないようになっている。
【００１９】
また本発明は、前記貫通孔から前記パネル背面側に侵入した水を排水部に案内する排水用案内部材を前記パネル背面と一体的に形成している。この構成によると、前記貫通孔より侵入した水は前記パネル背面と排水用案内部材を伝って流下し、電気及び電子機器に触れないような位置に排出される。
【００２０】
【発明の実施の形態】
本発明にかかる実施形態を図３乃至図５を参照して説明する。なお、従来例と同じ部材については同一の符号を付している。図３は本発明の第１の実施形態の構成を示し、（ａ）はタイマツマミ９部分の構成を示すの正面図であり、（ｂ）は同側面断面図である。図４はタイマツマミ９の詳細を示す斜視図であり、図５は図３の（ａ）を操作パネル５の背面から見た平面図である。
【００２１】
操作パネル５に形成されたリブ５ｄによって固定された制御板６にはエンコーダーなどの時間設定装置７と複数のライト１０とが装着され、ライト１０は操作パネル５のライト用孔５ｂを通し操作パネル５前面に接着された表示板１７の時間表示を点灯によって告知するようになっている。時間設定装置７の回転軸７ａは操作パネル５の貫通孔５ａを通してタイマツマミ９のボス部９ａに形成されたボス孔９ｂに圧入されてタイマツマミ９と回転軸７ａとが一体回転可能になっている。
【００２２】
操作パネル５の貫通孔５ａを囲むように操作パネル５から突設された防水用リブ８は下部に切り欠き部８ａが設けられるとともにタイマツマミ９の裏側の凹部９ｅに納まるように形成され、タイマツマミ９と操作パネル５との隙間（本実施形態では表示板１７との隙間）Ｂ１よりタイマツマミ９の内側に侵入した水滴が操作パネル５の背面側に侵入することを防止するようになっている。
【００２３】
また防水用リブ８の一部分には弾性を有する構造の係止爪２０が形成されている。係止爪２０の先端部２０ａは前面側が斜辺になっており、先端部２０ａに前方から水平に掛かる力に対しては先端部２０ａは図中上方へ変位し、後方から水平に掛かる力に対しては変位しないようになっている。
【００２４】
図４に詳細を示すようにタイマツマミ９のボス部９ａにはボス部９ａの半径方向外側に伸びる係合片９ｃが突設され、係合片９ｃに設けられた切り欠き９ｄが係止爪２０および貫通孔５ａの外周と遊合しながらタイマツマミ９が回動するようになっている。
【００２５】
また、図５に示すように操作パネル５の背面側には水滴を排出するための排水用案内部材２１が操作パネル５と一体的に形成されており操作パネル５背面側に侵入した水滴が操作パネル５を伝って流下し排水用案内部材２１を伝って制御板６やライト１０に接触しないように排出されるようになっている。なおストッパ２２は係合片９ｃと当接してタイマツマミ９の回動角度を規制し操作パネル５と一体的に形成されている。
【００２６】
このような構成において、濡れ雑巾などを使って操作パネル５の清掃する際にタイマツマミ９と操作パネル５との隙間（本実施形態では表示板１７との隙間）Ｂ１よりタイマツマミ９の内側に侵入した水滴は、防水用リブ８の外周を伝ってタイマツマミ９の下方の隙間Ｂ２より排出されるとともに防水用リブ８の内側に侵入した水滴が防水用リブ８の内壁を伝って流下し切り欠き部８ａから排出されるので防水用リブ８内に水滴が溜まることなくカビなどを防止することができる。
【００２７】
また、操作パネル５背面側の排水用案内部材２１は操作パネル５と一体成形可能で従来の防水板をボルトにより固定する方法（図２参照）に比して部品点数を削減しコスト削減を図ることができるようになる。
【００２８】
また、タイマツマミ９は前面より挿入時に係合片９ｃによって係止爪２０が前面より押されて先端部２０ａが退避し切り欠き９ｄと遊合した位置で装着される。この位置ではタイマツマミ９を引いても切り欠き９ｄの後端面と係止爪２０の先端部２０ａの後端面とが当接して引き抜くことができない。またタイマツマミ９が回動されて他の位置にあるときは切り欠き９ｄの後端面と操作パネル５の背面とが当接して引き抜くことができないようになり、部品点数を増加させることなく故障の危険を回避することができる。
【００２９】
本実施形態においては係止爪２０は防水用リブ８と一体的に形成しているが、防水用リブ８と離れて形成しても良いし、操作パネル５の背面に突出するように形成しても良い。
【００３０】
次に本発明の第２の実施形態について図６を参照して説明する。図６は出力の設定を段階的に行えるようなクリック機構を有した操作ツマミの構成を加熱出力切換ツマミ１３を例に示しており、（ａ）は上面断面図、（ｂ）は正面図、（ｃ）は側面断面図を示す。なお第１実施形態と同じ部材については同一の符号を付している。
【００３１】
第１実施形態と同様に操作パネル５に形成されたリブ５ｄによって固定された制御板６には加熱出力切換装置１１が装着され、加熱出力切換装置１１の回転軸１１ａは操作パネル５の貫通孔５ａを通して加熱出力切換ツマミ１３のボス部１３ａに形成されたボス孔１３ｂに圧入されて加熱出力切換ツマミ１３の係合片１３ｃに設けられた切り欠き１３ｄが貫通孔５ａの外周と遊合しながら、加熱出力切換ツマミ１３と回転軸１１ａとが一体回転可能になっている。
【００３２】
加熱出力切換ツマミ１３の内側にはクリック板１５がバネ１６によって操作パネル５に押しつけられるように収納され、クリック板１５と加熱出力切換ツマミ１３とは図７に示すようにボス部１３ａから突出した係合片１３ｃがスリット１５ｃと一致するようにボス部１３ａが孔部１５ｂに挿入され、加熱出力切換ツマミ１３と一体的に回動するようになっており、クリック板１５に設けられた凸部１５ａと操作パネル５に設けられた複数の凹部５ｃとが嵌合してクリック機構が構成されている。
【００３３】
このような構成によるとクリック機構を有する高価な調理条件設定装置を使用することなく簡単にクリック機構を実現できるとともに、クリック板１５は操作パネル５に押しつけられて隙間のないように形成されているので操作パネル５と加熱出力切換ツマミ１３との隙間から侵入した水滴が操作パネル５背面側に容易に侵入せず制御機器に水が接触する危険を低減することができる。
【００３４】
また、貫通孔５ａは長孔形状をしており、図８の（ａ）に示すように長径寸法Ｌ１が加熱出力切換ツマミ１３のボス部１３ａの断面における最長寸法Ｌ２よりも大きくなっており、ボス部１３ａは貫通孔５ａに挿入された後切り欠き１３ｄと貫通孔５ａの外周部とが遊合するように位置決めされる。この時切り欠き１３ｄが貫通孔５ａ全周に渡って貫通孔５ａ外周と遊合するように、つまり図中、
Ｌ３＜Ｘ＜Ｌ４  ・・・（１）
の関係となるように貫通孔５ａの寸法が決定されている。
【００３５】
式（１）のような寸法にすることで加熱出力切換ツマミ１３は位置決めされた後は引き抜くことができず故障などの危険を回避することができる。また、貫通孔５ａの形状は長孔である必要はなく、図８の（ｂ）に示すような偏心した円形や（ｃ）に示すように同心の円形でも良く、ボス部１３ａが挿入可能な大きさを有しかつ、式（１）のような関係になっていれば他の形状でも良い。
【００３６】
また図６において、クリック機構は操作パネル５に設けた複数の凹部５ｃにクリック板１５の凸部１５ａが嵌入されるようにして構成されるが、加熱出力切換ツマミ１３の回動範囲の角度が１８０゜の時はクリック板１５の装着方向を変えることによって図９の（ａ）に示すようにクリック板１５の凸部１５ａと嵌合する操作パネル５に設けた２つの区域Ａ，Ｂのいづれか一方の凹部５ｃを選択して使用することが可能で異なる段階数（この例では４段階または３段階）の切換えを有することができる。
【００３７】
（ｂ）に示すように回動角度が１２０゜の時には３つの区域Ａ，Ｂ，Ｃのいづれか１つの区域の凹部５ｃを使用することで３種類の段階数が得られ、（ｃ）に示すように回動角度が９０゜の時には４つの区域Ａ，Ｂ，Ｃ，Ｄのいづれか１つの区域の凹部５ｃを使用することで４種類の段階数が得られる。
【００３８】
このようにクリック板１５の装着の向きに対応する区域毎に異なった数量の凹部５ｃを形成することで、出力を切換える段階数の仕様が異なる電子レンジ１を同一の部品を用いて製造することが可能でコストを削減することができる。なお、本実施形態ではクリック板１５に凸部１５ａを設け操作パネル５に凹部５ｃを設けてクリック機構を実現しているがクリック板１５に複数の凹部を設け操作パネル５に凸部を設けるように構成しても同様の効果を得ることができる。
【００３９】
また図６において、防水用リブ８は上部の約１８０゜を切り欠いており、ストッパ面８ｂ（回動規制部）を有する。ストッパ面８ｂは加熱出力切換ツマミ１３に設けられた係止部１３ｅと当接して加熱出力切換ツマミ１３の回動角度を規制している。このような構成にすると先に述べた図５に示すようなストッパ２２を操作パネル５背面に設けるスペースを確保できないときに有効である。
【００４０】
また、防水用リブ８の上部を低いリブにして段差を形成したり、防水用リブ８の外周面や頂部に突起を設けることによって加熱出力切換ツマミ１３の回動規制を行うようにすると上部から侵入した水が防水用リブ８の内側に容易に侵入しないようになるので望ましい。あるいは、回動角度が小さいときには図１０に示すように加熱出力切換ツマミ１３の水切り用の切り欠き部８ａを回動規制部と兼ねることも可能で同様に加熱出力切換ツマミ１３の上部からの侵入した水が防水用リブ８の内側に容易に侵入しないようにすることができる。
【００４１】
なお、以上は電子レンジを例に説明したが、オーブンレンジやオーブントースターなどの他の調理器についても同様の構成によって同様の効果を得ることができる。
【００４２】
【発明の効果】
請求項１の発明によると、防水用リブ内に侵入した水滴は防水用リブ内壁を流下して下部の切り欠き部より排水されるようになり、防水用リブ内に水滴が溜まることによるカビなどの発生を防止することができる。
【００４３】
請求項２の発明によると、防水用リブに設けられた回動規制部に操作ツマミに設けられた係止部が当接することによって操作ツマミの回動範囲が規制されようになり、防水用リブと操作ツマミの回動のストッパとを兼用するためスペースを有効利用することができる。
【００４４】
請求項３の発明によると、出力を段階的に変化させるようなクリック機構を簡単な構成によって構成することができコストの削減を図ることができるとともに、クリック板の背面が操作パネル前面に圧接されて密着しているため水滴が操作パネル背面側に容易に侵入することができなくなり制御機器の防水効果を向上させることができる。
【００４５】
請求項４の発明によると、段階数の異なる複数のクリック機構をクリック板の装着の向きを変えるだけで実現可能なため仕様の異なる調理器において同一の部品を使用できコスト削減を図ることができる。
【００４６】
請求項５または請求項６の発明によると、部品点数を増加させることなく出力設定用ツマミを簡単に引き抜くことができないように構成することができ、故障の危険を回避することができる。
【００４７】
請求項７の発明によると、操作パネル背面側に侵入した水滴が制御機器に接触しないように排出する排水用案内部材を操作パネルと一体的に形成することができ部品点数を削減しコスト削減を図ることができる。
【図面の簡単な説明】
【図１】調理器を示す斜視図である。
【図２】従来の操作ツマミの構成を示す断面図である。
【図３】本発明にかかる実施形態を示す図である。
【図４】本発明にかかる実施形態のタイマツマミの詳細を示す斜視図である。
【図５】本発明にかかる実施形態の排水案内部材の詳細を示す平面図である。
【図６】本発明にかかる他の実施形態を示す図である。
【図７】本発明にかかる実施形態のクリック板の装着方法を示す斜視図である。
【図８】本発明にかかる実施形態の貫通孔の形状において他の実施形態を示す平面図である。
【図９】本発明にかかる実施形態のクリック機構において他の実施形態を示す概略図である。
【図１０】本発明にかかる他の実施形態を示す概略図である。
【符号の説明】
１    電子レンジ
２    扉
５    操作パネル
５ａ  貫通孔
５ｃ  凹部
７ａ、１１ａ  回転軸
８    防水部材
８ａ  排水用切り欠き
９    タイマツマミ
９ｃ  係合部
１３    加熱切換ツマミ
１３ｃ  係合部
１５    クリック板
１５ａ  凸部
１６    バネ
２０    係止爪
２１    排水案内部材
【図１】
0003545586.tif 000002
【図２】
0003545586.tif 000003
【図３】
0003545586.tif 000004
【図４】
0003545586.tif 000005
【図５】
0003545586.tif 000006
【図６】
0003545586.tif 000007
【図７】
0003545586.tif 000008
【図８】
0003545586.tif 000009
【図９】
0003545586.tif 000010
【図１０】
0003545586.tif 000011